(57)【要約】【課題】画質の劣化を軽減し、高画質な撮影画像を得ることができる撮影装置を提供することを目的とする。【解決手段】第１の孔が設けられた筐体と、筐体内に収容された、被写体光が通過する光学部材を支持する、第１の孔に連通する第２の孔が設けられた光学ホルダと、筐体に固定された、光学部材を通過してきた被写体光を捉えて画像信号を生成する撮像部と、第１の孔を貫通して第２の孔に螺入されることにより、筐体に光学ホルダを固定するねじとを備え、ねじが嵌入される前の状態において、第２の孔の中心が第１の孔の中心に対して所定のずれ方向にずれたものであり、光学部材の光軸も撮像部の中心からずれ方向にずれたものである。【選択図】        図５
2008250204.tif 000002
【特許請求の範囲】
【請求項１】
第１の孔が設けられた筐体と、
前記筐体内に収容された、被写体光が通過する光学部材を支持する、前記第１の孔に連通する第２の孔が設けられた光学ホルダと、
前記筐体に固定された、前記光学部材を通過してきた被写体光を捉えて画像信号を生成する撮像部と、
前記第１の孔を貫通して前記第２の孔に螺入されることにより、前記筐体に前記光学ホルダを固定するねじとを備え、
前記ねじが嵌入される前の状態において、前記第２の孔の中心が前記第１の孔の中心に対して所定のずれ方向にずれたものであり、該光学部材の光軸も該撮像部の中心から該ずれ方向にずれたものであることを特徴とする撮影装置。
【請求項２】
前記光学部材は、駆動力を受けて移動するものであり、
前記光学部材に駆動力を印加する駆動部を備えたことを特徴とする請求項１記載の撮影装置。
【請求項３】
前記駆動部は、前記光学部材に直接または間接的に摩擦係合するガイド棒と、該ガイド棒を該光学部材の光軸方向に移動させる駆動素子とを備えたものであり、
前記光学ホルダは、前記ガイド棒が貫通する貫通孔が設けられるとともに、該貫通孔によって該ガイド棒の位置を規制することにより、前記光学部材を間接的に保持するものであり、
前記ねじが嵌入される前の状態において、前記光学ホルダは、前記光学部材を、該光学部材の光軸が前記撮像部の中心から前記ずれ方向にずれた位置に保持するものであることを特徴とする請求項２記載の撮影装置。
【請求項４】
前記駆動素子は、電圧の印加を受けて伸縮する圧電素子であることを特徴とする請求項３記載の撮影装置。
【請求項５】
前記ガイド棒を前記光学部材に向けて押し付ける付勢部材を備えたことを特徴とする請求項３記載の撮影装置。
【発明の詳細な説明】
【技術分野】
【０００１】
本発明は、被写体を撮影する撮影装置に関する。
【背景技術】
【０００２】
近年、携帯電話などの小型機器に、被写体を撮影する撮影装置を内蔵することが広範に行われている。日ごろから常に携帯している小型機器に撮影装置が備えられることによって、デジタルカメラやビデオカメラを持ち運ぶ手間をかけずに、いつでも手軽に撮影を行うことができる。また、これらの小型機器には、無線や赤外線などを使ったデータ通信機能が予め搭載されていることが一般的であり、撮影した撮影画像をその場ですぐに他の携帯電話やパーソナルコンピュータなどに送ることができるという利点もある。
【０００３】
しかし、携帯電話などといった小型機器に内蔵される撮影装置は、通常のデジタルカメラと比較してかなり小型なために、ＣＣＤ（Ｃｈａｒｇｅ  Ｃｏｕｐｌｅｄ  Ｄｅｖｉｃｅ）撮像素子やＭＯＳ（Ｍｅｔａｌ  Ｏｘｉｄｅ  Ｓｅｍｉｃｏｎｄｕｃｔｏｒ）撮像素子（以下、これらを「撮像素子」と総称する）、レンズ、およびモータ等の大きさや、それらを収納するスペースが大幅に制限される。このため、これらの小型機器は、デジタルカメラの代替機器として用いられるには撮影機能や撮影画像の画質等が不十分であり、メモ替わりに画像を得る場合や、携帯電話等の待ち受け画面用の画像を得る場合などのように、高画質を要求されない撮影用に用途が限定されることが多い。
【０００４】
これらの点に関し、近年では、画素数の多い小型の撮像素子や、これに対応した小型レンズなどが開発されてきており、小型機器を使って撮影される撮影画像の高画質化が急速に進んでいる。また、通常サイズのデジタルカメラでは、レンズを駆動するモータとして、磁場によってロータを回転させる電磁モータが利用されることが一般的であるが、電磁モータは消費電力が大きく、比較的大型であるため、小型化および軽量化が求められている携帯電話などに搭載することは困難である。この点に関し、特許文献１および特許文献２には、電磁モータの替わりに、小型で省電力な圧電素子を使ってレンズを移動させる撮影装置について記載されている。
【０００５】
図１は、圧電素子を使ってレンズを移動させる撮影装置の一例を示す図である。
【０００６】
撮影装置１は、携帯電話機などに搭載されるものであり、筐体１０内に、レンズホルダ２０、レンズ４０、レンズ駆動部５０が収容されており、筐体１０の、レンズ４０の後方に撮像素子３０が嵌め込まれている。
【０００７】
レンズ駆動部５０は、電圧の印加を受けて伸縮する圧電素子５１と、圧電素子５１に取り付けられ、レンズ４０が押し付けられたガイド棒５２とで構成されている。
【０００８】
レンズホルダ２０には、レンズ４０の光軸方向に延びたガイド孔２１が設けられており、このガイド孔２１にガイド棒５２が貫通されることによってガイド棒５２の位置を規制し、レンズ４０を間接的に保持している。また、レンズホルダ２０は、ねじ６０によって筐体１０に固定されている。
【０００９】
撮像素子３０は、レンズ４０の光軸上に固定されており、レンズ４０を通過してきた被写体光を捉えて画像信号を生成する。
【００１０】
圧電素子５１に鋸状電圧を印加すると、圧電素子５１が伸縮して、ガイド棒５２も伸縮方向に移動する。レンズ４０は、ガイド棒５２がゆっくり移動すると、摩擦によってガイド棒５２とともに移動し、ガイド棒５２が高速に移動すると、レンズ４０の質量の慣性によって同じ位置に留まる。圧電素子に鋸状電圧を繰り返し印加することによって、レンズ４０を細かなピッチで間欠的に移動させることができる。
【００１１】
このように、圧電素子を利用することによって、電磁モータよりも少ない電力でレンズを駆動することができ、さらに、撮影装置の軽量化や、レンズ駆動の静音化を図ることができる。
【特許文献１】特開２００４−２９４７５９号公報
【特許文献２】特開２００４−２９４５８０号公報
【発明の開示】
【発明が解決しようとする課題】
【００１２】
しかし、小型の撮影装置１では、ねじ６０が筐体１０に対して傾いて螺入されてしまうことが多い。その結果、筐体１０とレンズホルダ２０との位置がずれてしまい、ガイド棒５２の軸方向が傾いて、筐体１０に固定された撮像素子３０の中心と、ガイド棒５２に押し付けられているレンズ４０の光軸とがずれてしまう。このねじ６０の傾き方向は、作業員の利き手、機械のクセ、ねじ孔が設けられている位置、撮影装置１の大きさなどによって変わってしまうため、撮影装置１を組み立てた後で撮像素子３０の中心とレンズ４０の光軸との位置ずれを補正することは困難である。さらに、小型のレンズ４０や撮像素子３０が用いられた小型機器用の撮影装置１では、通常サイズのデジタルカメラと比べて、撮像素子３０とレンズ４０の光軸との位置ずれの影響が大きく表れてしまい、撮影画像の画質が大きく劣化してしまうという問題がある。
【００１３】
本発明は、上記事情に鑑み、画質の劣化を軽減し、高画質な撮影画像を得ることができる撮影装置を提供することを目的とする。
【課題を解決するための手段】
【００１４】
上記目的を達成する本発明の撮影装置は、第１の孔が設けられた筐体と、
筐体内に収容された、被写体光が通過する光学部材を支持する、第１の孔に連通する第２の孔が設けられた光学ホルダと、
筐体に固定された、光学部材を通過してきた被写体光を捉えて画像信号を生成する撮像部と、
第１の孔を貫通して第２の孔に螺入されることにより、筐体に光学ホルダを固定するねじとを備え、
ねじが嵌入される前の状態において、第２の孔の中心が第１の孔の中心に対して所定のずれ方向にずれたものであり、光学部材の光軸も撮像部の中心からずれ方向にずれたものであることを特徴とする。
【００１５】
小型の撮影装置を組み立てるのにあたり、筐体に設けられた孔と、筐体内に収容された光学ホルダの孔にねじを螺入すると、ねじが傾いて筐体と光学ホルダとの位置がずれてしまうことが多く、ねじの傾きの方向は、作業員の利き手や、孔の位置や、撮影装置の大きさなどによって変化してしまって、予測することが困難である。しかし、光学ホルダの孔の中心を筐体の孔の中心に対して所定のずれ方向にずらしておくと、それらの孔をねじで固定する際に、筐体の孔が光学ホルダの孔に向けて引っ張られ、筐体がずれ方向に移動することがわかった。
【００１６】
本発明の撮影装置によると、光学ホルダに設けられた第２の孔の中心が筐体に設けられた第１の孔の中心に対して所定のずれ方向にずれているため、それらの孔をねじ留めすると、作業員の利き手や孔の位置などに関わらず、筐体がずれ方向に移動する。また、光学部材の光軸は撮像部の中心に対して予めずれ方向にずれているため、筐体と光学ホルダとをねじ留めすると、筐体に固定された撮像部の中心がずれ方向に移動し、光学ホルダに保持された光学部材の光軸の位置と揃うこととなる。このため、撮像部の中心と光学部材の光軸の位置とを合わせることができ、画質の劣化を軽減して、高画質な撮影画像を得ることができる。
【００１７】
また、本発明の撮影装置において、上記光学部材は、駆動力を受けて移動するものであり、
上記光学部材に駆動力を印加する駆動部を備えたことが好ましい。
【００１８】
本発明の撮影装置によると、光学部材の光軸と撮像部の中心の位置とを合わせて光学部材を移動させることができ、高精度なオートフォーカス機能やズーム機能を実現することができる。
【００１９】
また、本発明の撮影装置において、上記駆動部は、光学部材に直接または間接的に摩擦係合するガイド棒と、ガイド棒を光学部材の光軸方向に移動させる駆動素子とを備えたものであり、
上記光学ホルダは、ガイド棒が貫通する貫通孔が設けられるとともに、貫通孔によってガイド棒の位置を規制することにより、光学部材を間接的に保持するものであり、
ねじが嵌入される前の状態において、光学ホルダは、光学部材を、光学部材の光軸が撮像部の中心からずれ方向にずれた位置に保持するものであることが好ましい。
【００２０】
ガイド棒の位置が光学ホルダによって規制されることによって、光学部材の移動方向を光学ホルダの向きに合わせることができ、光学部材を光軸方向に精度良く移動させることができる。
【００２１】
また、本発明の撮影装置において、上記駆動素子は、電圧の印加を受けて伸縮する圧電素子であることが好適である。
【００２２】
この好適な撮影装置によると、撮影装置の大型化を抑え、省電力に光学部材を移動させることができる。
【００２３】
また、本発明の撮影装置において、上記ガイド棒を光学部材に向けて押し付ける付勢部材を備えたことが好ましい。
【００２４】
ガイド棒が光学部材に向けて押し付けられることによって、光学部材の移動方向を確実に案内することができるとともに、光学部材を効率よく移動させることができる。
【発明の効果】
【００２５】
本発明によれば、画質の劣化を軽減し、高画質な撮影画像を得ることができる撮影装置を提供することができる。
【発明を実施するための最良の形態】
【００２６】
以下、図面を参照して本発明の実施の形態を説明する。
【００２７】
図２は、本発明の一実施形態が適用された携帯電話の外観斜視図である。
【００２８】
図２（Ａ）には、携帯電話１００の前面図が示されている。携帯電話１００の前面には、メニュー画面や、撮影画像などが表示される液晶パネル１０１、内部にスピーカ（図３参照）が配備され、スピーカから発せられる音声を放つための送話口１０２、電話局を介して音声やメールなどのデータを送受信するための第１アンテナ１０３ａ、各種機能の選択や、撮影を行う際のシャッタボタンとして使用される選択ボタン１０４、電話番号を入力するためのプッシュボタン１０５、内部にマイクロフォン（図３参照）が配備され、声をマイクロフォンに伝えるための受話口１０６、ユーザが入力した電話番号などを確定する確定ボタン１０７、電源ボタン１０８、および電話局を介さずに、近距離用の無線通信によって画像やアドレス情報などを送受信するための第２アンテナ１０９ａが備えられている。
【００２９】
図２（Ｂ）には、携帯電話１００の背面図が示されている。携帯電話１００の背面には、撮影レンズ１００ａが嵌め込まれている。
【００３０】
図３は、携帯電話１００のブロック図である。
【００３１】
携帯電話１００の内部には、撮影装置２００、ＣＣＤ１１２、Ａ／Ｄ（Ａｎａｌｏｇ／Ｄｅｇｉｔａｌ）変換部１１３、マイクロフォン１２１、スピーカ１２２、インタフェース部１２０、第１アンテナ１０３ａ、第１送受信部１０３、入力コントローラ１３０、画像信号処理部１４０、ビデオエンコーダ１５０、画像表示装置１６０、第２アンテナ１０９ａ、第２送受信部１０９、メモリ１７０、ＣＰＵ１８０、メディアコントローラ１９０、および図１に示す選択ボタン１０４やプッシュボタン１０５などといった各種スイッチ１８１が具備されており、さらに、記録メディア１９０ａが接続されている。撮影装置２００は、本発明の撮影装置の一実施形態に相当し、ＣＣＤ１１２は、本発明にいう撮像部の一例に相当する。
【００３２】
ＣＰＵ１８０は、図３に示す携帯電話１００の各種要素に処理の指示を伝えて、各種要素を制御する。例えば、撮影を行う撮影モードが設定された状態で図２の選択ボタン１０４が押下されると、ＣＰＵ１８０から図３に示す各種要素に指示が与えられ、撮影が開始される。
【００３３】
撮影装置２００には、図２（Ｂ）にも示す撮影レンズ１００ａや、ＣＣＤ１１２で受光される被写体光の光量を調整するアイリス１１１などが備えられている。尚、本来、撮影装置２００には複数のレンズが配備されるが、この図３では、それら複数のレンズを撮影レンズ１００ａとして模式的に示している。撮影装置２００については、後で詳しく説明する。
【００３４】
図２（Ａ）の選択ボタン１０４が押下されて撮影が開始されると、ＣＣＤ１１２は、撮影レンズ１００ａおよびアイリス１１１を通ってきた被写体光を受光して、被写体光に基づく被写体像をアナログ信号である被写体信号として読み取る。ＣＣＤ１１２で生成された被写体信号は、Ａ／Ｄ変換部１１３でデジタルの撮影画像データに変換される。変換後の撮影画像データは、入力コントローラ１３０を介して画像信号処理部１４０に送られる。
【００３５】
画像信号処理部１４０では、画像データにＲＧＢレベルの調節、ガンマ調整等といった画像処理が施され、さらに、画像処理後の画像データに圧縮処理が施される。圧縮後の画像データは、一旦メモリ１７０に送られる。
【００３６】
メモリ１７０には、この携帯電話１００内で実行されるプログラムが記憶されたり、中間バッファとして用いられる記録速度が高速なＳＤＲＡＭ、各種メニュー画面用のデータや、ユーザの設定内容などが記憶されたデータ保存用のメモリであるＳＲＡＭ、圧縮された画像データが記憶されるＶＲＡＭが含まれている。ＶＲＡＭは、複数領域に分割されており、画像データが複数領域に順番に記憶され、記憶された画像データはビデオエンコーダ１５０やメディアコントローラ１９０に順次に読み出される。
【００３７】
ビデオエンコーダ１５０は、ＣＰＵ１８０からの指示に従って、メモリ１７０から圧縮後の画像データを取得し、圧縮後の画像データを、液晶パネル１０１で表示できるデータ形式に変換する。変換後の画像データは画像表示装置１６０に送られ、画像表示装置１６０によって、画像データが表す画像が液晶パネル１０１に表示される。メディアコントローラ１９０は、メモリ１７０に記憶された圧縮後の画像データを記録メディア１９０ａへ記録したり、記録メディア１９０ａに記録された画像データを読み出すためのものである。
【００３８】
また、図２（Ａ）に示すプッシュボタン１０５を使って電話番号が入力され、確定ボタン１０７が押下されると、電話番号が設定されて相手装置との通信が開始される。このとき、携帯電話１００の電話番号や入力された電話番号などの通信情報がＣＰＵ１８０から第１送受信部１０３に伝えられ、通信情報が電波に変換されてアンテナ１０３ａに伝えられ、アンテナ１０３ａから電波が発せられる。第１アンテナ１０３ａから発せられた電波は、建物や電柱などといった各所に設けられている共同アンテナ（図示しない）を介して電話局に伝わり、電話局で、指定された電話番号が割り当てられた相手装置との接続が確立される。
【００３９】
相手装置との接続が確立すると、ユーザが携帯電話１００に向けて発した声が、マイクロフォン１２１で集音され、集音された声がインタフェース部１２０で音声データを表わす電波に変換されて、第１送受信部１０３の第１アンテナ１０３ａによって相手装置に送信される。また、第１アンテナ１０３ａを介して受信された音声用の電波は、インタフェース部１２０で音声データに変換され、スピーカ１２２から音声として発せられる。第１送受信部１０３、第１アンテナ１０３ａでは、音声データだけではなく、電話番号の代わりにメールアドレスを使ってメールを表わすメールデータも送受信される。第１アンテナ１０３ａで受信されて、第１送受信部１０３でデジタル化されたメールデータは、入力コントローラ１３０によってメモリ１７０に記憶される。
【００４０】
また、この携帯電話１００には、電話局を介して他の携帯電話などといった相手装置と通信するための通信インタフェース（第１送受信部１０３、第１アンテナ１０３ａ）とは別に、電話局を介さずに、近距離用の無線通信によって通信するための無線通信インタフェース（第２送受信部１０９、第２アンテナ１０９ａ）も備えられている。近距離無線通信用の通信インタフェースとしては、赤外線通信やブルートゥース（Ｂｌｕｅｔｏｏｔｈ）などを適用することができる。本実施形態では、通信インタフェースとして赤外線通信が適用されており、他の携帯電話などから直接送信されてきた赤外線が第２アンテナ１０９ａで受信されると、その受信された赤外線に基づく電気信号が第２送受信部１０９でピックアップされて、デジタルのデータに変換される。逆に、外部装置にデータを送信するときには、第２送受信部１０９にデータが伝えられ、そのデータが第２送受信部１０９で電波に変換されて、第２アンテナ１０９ａから発せられる。
【００４１】
この第２アンテナ１０９ａで画像を表わす赤外線が受信されると、第２送受信部１０９では赤外線に基づく電気信号が画像データに変換される。変換された画像データは、撮影画像データと同様にして、画像表示装置１６０に送られて画像データが表わす画像が液晶パネル１０１に表示されたり、メディアコントローラ１９０を介して記録メディア１９０ａに記録される。
【００４２】
携帯電話１００は、基本的には以上のように構成されている。
【００４３】
続いて、撮影装置２００について詳しく説明する。
【００４４】
図４は、撮影装置２００の分解斜視図である。
【００４５】
以下では、図の左下から被写体光が撮影装置２００内に入射するものとして説明し、図の左下を前、図の右上を後と称して説明する。
【００４６】
撮影装置２００は、外装カバー２１０と後カバー２２０と下カバー２１３との間の空間内に、前方から順に、シャッタユニット２３０、レンズバレル２４０、レンズホルダ２５０、およびレンズ駆動部２６０などが収容されている。外装カバー２１０、後カバー２２０、および下カバー２１３を合わせたものは、本発明にいう筐体の一例に相当する。
【００４７】
後カバー２２０は、背面に、図３に示すＣＣＤ１１２が取り付けられており、前面には、画像形成に不要で発熱の元となる赤外線をカットするＩＲカットフィルタ２２１が取り付けられている。
【００４８】
レンズ駆動部２６０は、電圧の印加を受けて伸縮する圧電素子２６０ａと、圧電素子２６０ａの伸縮に伴って前後方向に移動するガイド棒２６０ｂとで構成されている。レンズ駆動部２６０は、本発明にいう駆動部の一例にあたり、圧電素子２６０ａは、本発明にいう駆動素子の一例にあたるとともに、本発明にいう圧電素子の一例にも相当し、ガイド棒２６０ｂは、本発明にいうガイド棒の一例に相当する。
【００４９】
レンズバレル２４０は、内部に図３に示す撮影レンズ１００ａが収容されており、上部と下部それぞれにＶ溝２４０ａ,２４０ｂが設けられている。レンズバレル２４０は、本発明にいう光学部材の一例に相当する。
【００５０】
シャッタユニット２３０は、図３に示すアイリス１１１が内蔵されており、ねじ２４４によってレンズホルダ２５０に固定されている。
【００５１】
外装カバー２１０には、ねじ２９０が螺入されるねじ孔２１０ａと、ガイド棒２６０ｂが貫通するガイド孔２５０ｂが設けられており、前面には、撮影装置２００内にゴミ等が入り込んでしまう不具合を回避するための前面カバー２１１とカバーガラス２１２が貼り付けられている。ねじ孔２１０ａは、本発明にいう第１の孔の一例に相当する。
【００５２】
レンズホルダ２５０には、外装カバー２１０のねじ孔２１０ａに連通するねじ孔２５０ａと、ガイド棒２６０ｂが貫通するガイド孔２５０ｂとが設けられており、側面に、レンズ位置検出用のセンサ２７０と検出回路２８０が取り付けられている。レンズホルダ２５０は、本発明にいう光学ホルダの一例にあたり、ねじ孔２５０ａは、本発明にいう第２の孔の一例に相当する。
【００５３】
撮影装置２００を組み立てる際には、まず、外装カバー２１０にトップカバー２１１とカバーガラス２１２が貼り付けられ、レンズホルダ２５０の側面にセンサ２７０と検出回路２８０が取り付けられ、シャッタユニット２３０がレンズバレル２４０に固定される。
【００５４】
次に、レンズバレル２４０の上側のＶ溝２４０ａとレンズホルダ２５０のロッド穴２５０ｃに回転止めのロッド２５１が嵌め込まれる。また、駆動ホルダ２６２が後カバー２２０の貫通孔２２０ａに嵌め込まれ、レンズ駆動部２６０が駆動ホルダ２６２に保持される。この時点で、レンズ駆動部２６０は、後端が後カバー２２０に対して固定されている。
【００５５】
続いて、レンズバレル２４０の下側のＶ溝２４０ｂに第１のプレート２４２が装着され、レンズ駆動部２６０のガイド棒２６０ｂが、間にシリコンゴム２６１を挟んでレンズホルダ２５０のガイド孔２５０ｂに挿し込まれるとともに、第１のプレート２４２を間に挟んでレンズバレル２４０のＶ溝２４０ｂに嵌め込まれる。さらに、第１のプレート２４２との間にガイド棒２６０ｂを挟んで第２のプレート２４３が装着され、その第２のプレート２４３を上方向に付勢する板ばね２４１が装着される。第１のプレート２４２および第２のプレート２４３がガイド棒２６０ｂを挟みこみ、板ばね２４１が第１のプレート２４２および第２のプレート２４３をガイド棒２６０ｂに向けて付勢することによって、第１のプレート２４２および第２のプレート２４３はガイド棒２６０ｂに摩擦係合されている。板ばね２４１は、本発明にいう付勢部材の一例に相当する。この時点で、レンズ駆動部２６０のガイド棒２６０ｂは、レンズホルダ２５０によって位置が規制されており、ガイド棒２６０ｂを介して、レンズバレル２４０はレンズホルダ２５０によって間接的に支持されている。
【００５６】
ガイド棒２６０ｂの先端は、外装カバー２１０のガイド孔２１０ｂに挿し込まれる。ガイド孔２１０ｂは、ガイド棒２６０ｂの外形よりも大きく形成されており、ガイド棒２６０ｂの位置や移動を妨げないように設計されている。
【００５７】
最後に、外装カバー２１０のねじ孔２１０ａとレンズホルダ２５０のねじ孔２５０ａにねじ２９０が螺入されて、レンズホルダ２５０が外装カバー２１０に固定され、後カバー２２０と下カバー２１３が外装カバー２１０に接着される。
【００５８】
以上のようにして撮影装置２００が組み立てられる。
【００５９】
カバーガラス２１２を通って入射してきた被写体光は、シャッタユニット２３０、レンズバレル２４０、およびＩＲカットフィルタ２２１を通って、後カバー２２０の背面に取り付けられたＣＣＤ１１２で受光される。尚、オートフォーカス機能やズーム機能を実行する際には、図３に示すＣＰＵ１８０によって圧電素子２６０ａに鋸状電圧が印加され、圧電素子２６０ａが伸縮される。圧電素子２６０ａがゆっくりと伸縮すると、ガイド棒２６０ｂがレンズホルダ２５０のガイド孔２５０ｂに沿ってゆっくりと移動し、ガイド棒２６０ｂと間接的に摩擦係合したレンズバレル２４０がガイド棒２６０ｂとともに移動する。また、圧電素子２６０ａが高速に伸縮すると、ガイド棒２６０ｂも高速に移動するが、レンズバレル２４０は質量の慣性によって同じ位置に留まる。圧電素子２６０ａに鋸状電圧を繰り返し印加することによって、レンズバレル２４０を細かなピッチで間欠的に移動させることができ、消費電力を抑えてオートフォーカス機能やズーム機能を実現することができる。
【００６０】
ところで、ガイド棒２６０ｂおよびレンズバレル２４０は、レンズホルダ２５０によって位置が規制されており、ＣＣＤ１１２および駆動部１６０の後端は、後カバー２２０によって保持されており、後カバー２２０は、外装カバー２１０に接着されている。このため、レンズホルダ２５０と外装カバー２１０の相対位置がずれてしまうと、レンズバレル２４０内に収容された撮影レンズ１００ａの光軸がＣＣＤ１１２に対して傾いてしまい、撮影画像の画質が劣化してしまう。本実施形態の撮影装置２００では、外装カバー２１０のねじ孔２１０ａとレンズホルダ２５０のねじ孔２５０ａ、およびＣＣＤ１１２の中心位置とレンズバレル２４０の光軸とを予めずらしておくことによって、このような不具合の回避が図られている。
【００６１】
図５は、外装カバー２１０とレンズホルダ２５０の位置関係を示す図である。
【００６２】
図５（Ａ）には、ねじ２９０が螺入される前の外装カバー２１０とレンズホルダ２５０との位置関係が示されている。
【００６３】
図５（Ａ）に示すように、レンズホルダ２５０に設けられたねじ孔２５０ａの中心軸Ｑ１は、外装カバー２１０に設けられたねじ孔２１０ａの中心軸Ｐ１に対して、図の右下方向にずれている。
【００６４】
また、レンズホルダ２５０のガイド孔２５０ｂは、外装カバー２１０のガイド孔２１０ｂに対して右下方向にずれた位置に設けられており、ガイド棒２６０ｂは、後端側が間接的に後カバー２２０に保持され、先端側がレンズホルダ２５０のガイド孔２５０ｂに貫通することによって、軸Ｑ２が外装カバー２１０のガイド孔２１０ｂの中心軸Ｐ２に対して右下方向に傾いている。その結果、レンズバレル２４０に収容された撮影レンズ１００ａの中心Ｏ´も、後カバー２２０に装着されたＣＣＤ１１２の中心Ｏに対して右下方向にずれることとなり、すなわち、撮影レンズ１００ａの光軸がＣＣＤ１１２の中心Ｏに対して右下方向にずれている。
【００６５】
図５（Ｂ）には、ねじ２９０が螺入された後の外装カバー２１０とレンズホルダ２５０との位置関係が示されている。
【００６６】
図５（Ａ）に示す状態で、外装カバー２１０のねじ孔２１０ａ、およびレンズホルダ２５０のねじ孔２５０ａにねじ２９０を螺入すると、外装カバー２１０のねじ孔２１０ａがレンズホルダ２５０のねじ孔２５０ａに向けて図の右下方向に引っ張られ、図５（Ｂ）に示すように、外装カバー２１０が右下方向に移動される。その結果、後カバー２２０も外装カバー２１０とともに右下方向に移動し、ガイド棒２６０ｂの軸Ｑ２が外装カバー２１０のガイド孔２１０ｂの中心軸Ｐ２に揃えられることとなり、すなわち、撮影レンズ１００ａの中心Ｏ´がＣＣＤ１１２の中心Ｏに揃えられて、ＣＣＤ１１２の中心Ｏと撮影レンズ１００ａの光軸とが合わせられる。
【００６７】
このように、本実施形態の撮影装置２００によると、作業員の利き手やねじ孔の位置などに関わらず、ＣＣＤの中心と撮影レンズの光軸とを合わせることができ、撮影画像の画質の劣化を軽減することができる。
【００６８】
ここで、上記では、圧電を用いた駆動部を備える例について説明したが、本発明にいう駆動部は、電磁モータなどであってもよい。
【００６９】
また、上記では、撮像部としてＣＣＤを備える例について説明したが、本発明にいう撮像部は、ＭＯＳセンサなどであってもよい。
【００７０】
また、上記では、外装カバーのねじ孔に対してレンズホルダのねじ孔を右下方向にずらしておく例について説明したが、本発明にいう第２の孔は、本発明にいう第１の孔に対して右下方向以外の方向にずらしておいてもよい。
【００７１】
また、上記では、本発明の撮影装置を携帯電話に搭載する例について説明したが、本発明の撮影装置は、小型のデジタルカメラなどであってもよい。
【図面の簡単な説明】
【００７２】
【図１】圧電素子を使ってレンズを移動させる撮影装置の一例を示す図である。
【図２】本発明の一実施形態が適用された携帯電話の外観斜視図である。
【図３】携帯電話のブロック図である。
【図４】撮影装置の分解斜視図である。
【図５】外装カバーとレンズホルダの位置関係を示す図である。
【符号の説明】
【００７３】
１００    携帯電話
１０１    液晶パネル
１０２    送話口
１０３ａ    第１アンテナ
１０４    選択ボタン
１０５    プッシュボタン
１０６    受話口
１０７    確定ボタン
１０８    電源ボタン
１０９ａ    第２アンテナ
１１２    ＣＣＤ
１１３    Ａ／Ｄ変換部
１２０    インタフェース部
１２１    マイクロフォン
１２２    スピーカ
１３０    入力コントローラ
１４０    画像信号処理部
１５０    ビデオエンコーダ
１６０    画像表示装置
１７０    メモリ
１８０    ＣＰＵ
１８１    各種スイッチ
２００    撮影装置
２１０    外装カバー
２１３    下カバー
２２０    後カバー
２３０    シャッタユニット
２４０    レンズバレル
２５０    レンズホルダ
２６０    レンズ駆動部
２６０ａ    圧電素子
２６０ｂ    ガイド棒
２１０ａ,２５０ａ    ねじ孔
２１０ｂ,２５０ｂ    ガイド孔
【図１】
2008250204.tif 000003
【図２】
2008250204.tif 000004
【図３】
2008250204.tif 000005
【図４】
2008250204.tif 000006
【図５】
2008250204.tif 000007